(57)【要約】【課題】内袋を簡単かつ確実に破袋可能な二重容器を提供する。【解決手段】二重容器１の外容器１０を、主収容部１１と副収容部１２とで構成し、主収容部１１と副収容部１２との境部分を易折曲部１５とする。外容器１０に、易破袋部を有する内袋２０を収容する。内袋２０を、易折曲部１５を跨いで主収容部１１から副収容部１２にわたって配置する。【選択図】図１
2017105477.tif 000002
【特許請求の範囲】
【請求項１】
外容器と、前記外容器に収容されるとともに易破袋部を有する内袋と、を備えた二重容器において、
前記外容器が、器状の主収容部と、前記主収容部に連なる副収容部とを有し、前記主収容部と前記副収容部との境部分には、曲げ応力が集中可能な易折曲部が形成されており、
前記内袋が、前記易折曲部を跨いで前記主収容部から前記副収容部にわたって配置されていることを特徴とする二重容器。
【請求項２】
前記副収容部が前記主収容部よりも扁平であり、前記易折曲部が段差状であることを特徴とする請求項１に記載の二重容器。
【請求項３】
前記副収容部が器状であり、前記易折曲部が溝状であることを特徴とする請求項１に記載の二重容器。
【請求項４】
前記主収容部の底部に凸部が形成されていることを特徴とする請求項１〜３の何れか１項に記載の二重容器。
【発明の詳細な説明】
【技術分野】
【０００１】
本発明は、二重容器に関し、特に内袋を破袋させて使用する二重容器に関する。
【背景技術】
【０００２】
例えば、特許文献１では、外袋と内袋を含む二重容器が記載されている。外袋に内袋が収容されている。外袋を外側から押圧して内袋を圧縮することで、内袋の易破袋部が破袋されるようになっている。
【先行技術文献】
【特許文献】
【０００３】
【特許文献１】特開２００６−１２３９５８号公報
【発明の概要】
【発明が解決しようとする課題】
【０００４】
しかし、押圧力の掛け具合等によっては、内袋が必ずしも破袋されないことがある。特に、外袋と内袋との間に空気等のガスが入っていると、押圧力が内袋まで伝わりにくく、内袋が破袋されにくい。
本発明は、前記事情に鑑み、内袋を簡単かつ確実に破袋可能な二重容器を提供することを目的とする。
【課題を解決するための手段】
【０００５】
前記問題点を解決するために、本発明は、外容器と、前記外容器に収容されるとともに易破袋部を有する内袋と、を備えた二重容器において、
前記外容器が、器状の主収容部と、前記主収容部に連なる副収容部とを有し、前記主収容部と前記副収容部との境部分には、曲げ応力が集中可能な易折曲部が形成されており、
前記内袋が、前記易折曲部を跨いで前記主収容部から前記副収容部にわたって配置されていることを特徴とする。
【０００６】
本発明の二重容器によれば、外容器を易折曲部において容易に折り曲げることができる。このとき、内袋も易折曲部を跨ぐ箇所で折り曲げられる。これによって、内袋の内圧が高まることで、内袋を易破袋部において簡単かつ確実に破袋することができる。たとえ外容器と内袋との間に空気等のガスが入っていたとしても、内袋を確実に破袋することができる。
【０００７】
前記副収容部が前記主収容部よりも扁平であり、前記易折曲部が段差状であることが好ましい。これによって、外容器を易折曲部において確実に折り曲げやすい形状ないしは構造にすることができる。
前記副収容部が器状であり、前記易折曲部が溝状になっていてもよい。
【０００８】
前記主収容部の底部に凸部が形成されていることが好ましい。
外容器内の第１被収容物と内袋内の第２被収容物との混合によって吸熱や発熱を起こす場合、凸部を対象部位に当てることで、対象部位を限定的に冷ましたり温めたりすることができる。栄養素や薬剤の経皮摂取にも有効である。
【発明の効果】
【０００９】
本発明の二重容器によれば、外容器の主収容部と副収容部との境部分で折り曲げることで、内袋を簡単かつ確実に破袋することができる。
【図面の簡単な説明】
【００１０】
【図１】図１（ａ）は、本発明の第１実施形態に係る二重容器を示し、同図（ｂ）のＩａ−Ｉａ線に沿う側面断面図である。図１（ｂ）は、前記二重容器の底面図である。
【図２】図２は、前記二重容器の斜視図である。
【図３】図３は、前記二重容器の内袋の平面図である。
【図４】図４（ａ）は、前記二重容器を半分程度折り曲げた状態を示す側面断面図である。図４（ｂ）は、前記二重容器を十分に折り曲げた状態を示す側面断面図である。
【図５】図５は、本発明の第２実施形態に係る二重容器の側面断面図である。
【発明を実施するための形態】
【００１１】
以下、本発明の実施形態を図面にしたがって説明する。
［第１実施形態］
図１〜図４は、本発明の第１実施形態を示したものである。この実施形態の二重容器１は、対象体（図示省略）を局所的に冷却する冷却手段として用いられる。対象体は、例えば人の皮膚であり、具体的には注射をしようとする部位や発熱部位等である。
【００１２】
図１及び図２に示すように、二重容器１は、外容器１０と、内袋２０を備えている。外容器１０に内袋２０が収容されている。図１に示すように、二重容器１には、二種類の被収容物３１，３２が互いに分離して収容されている。被収容物３１，３２は、互いに混合されることによって吸熱反応を起こす２種（複数種）の物質で構成されている。第１被収容物３１は、例えば硝酸アンモニウム等の無機塩の粉体である。第２被収容物３２は、例えば水や水溶液等の液体である。第１被収容物３１は、外容器１０の内部（外容器１０と内袋２０との間）に封入されている。第２被収容物３２は、内袋２０の内部に封入されている。
なお、被収容物３１，３２の成分は、前述したものに限られるものではない。
【００１３】
図１に示すように、外容器１０は、２枚の軟性樹脂製のフィルム１３，１４によって構成されている。フィルム１３，１４の材質は、例えばポリプロピレン（ＰＰ）であるが、これに限定されるものではなく、ポリエチレン（ＰＥ）等の他の樹脂であってもよい。２つのフィルム１３，１４の材質が互いに同じでもよく異なっていてもよい。フィルム１３，１４の厚みは、例えば数μｍ〜数百μｍ程度である。
なお、図１において、フィルム１３，１４の厚みは誇張されている（図４及び図５についても同様）。
【００１４】
ボトムフィルム１３は、真空成形等によって所定の形状に成形されている。蓋フィルム１４は、平坦になっている。２枚のフィルム１３，１４が互いに重ね合わされるとともに、これらフィルム１３，１４の周縁部どうしが全周にわたってヒートシールされている。これによって、外容器１０の内部が密封されている。
【００１５】
図１及び図２に示すように、ボトムフィルム１３の成形によって、外容器１０には、２つの収容部１１，１２が形成されている。主収容部１１は、例えば平面視で箱型の器状になっている。図１（ｂ）に示すように、主収容部１１の底部には、凸部１１ａが形成されている。凸部１１ａの形状は、円形であるが、これに限られず、例えば四角形等の多角形であってもよい。図１に示すように、主収容部１１の深さＤ１１（凸部１１ａを除く）は、例えばＤ１１＝数ｍｍ〜十数ｍｍ程度である。
【００１６】
主収容部１１の一側部から副収容部１２が延び出ている。主収容部１１の内部空間と副収容部１２の内部空間とは互いに連なっている。
副収容部１２は、主収容部１１よりも扁平になっている副収容部１２の深さＤ１２は、主収容部１１の深さＤ１１よりも小さく（Ｄ１２＜Ｄ１１）、例えば主収容部１１の深さＤ１１の３分の２程度〜数分の１程度である。器状の主収容部１１と扁平な副収容部１２との境部分は、段差状の易折曲部１５となっている。易折曲部１５は、外容器１０の幅方向（図１の紙面と直交する方向）の全域にわたって形成されている。段差状の易折曲部１５は、構造的に曲げ応力が集中し易く、外容器１０における他の部分よりも折り曲げ性ないしは屈曲性が高い。
【００１７】
第１被収容物３１は、外容器１０の２つの収容部１１，１２のうち主に主収容部１１内に収容されている。外容器１０の内部には、第１被収容物３１の他、空気等のガスが入っている。
【００１８】
図３に示すように、内袋２０は、密封された三方袋にて構成されている。内袋２０の３つの縁部には、ヒートシール部２０ｅ（図３の網掛け部）が形成され、残り１つの縁部は折り目になっている。
なお、内袋２０は、三方袋に限られず、四方袋でもよく、二方袋でもよく、ガゼット袋でもよく、その他の袋構造であってもよい。
内袋２０の材質は、例えばアルミ等の金属層と樹脂層とのラミネートフィルムにて構成され、気密性及び液密性を有している。内袋２０の形状は、平面視で長方形になっている。内袋２０の長手方向の寸法は、外容器１０の各収容部１１，１２の同方向の長さ寸法よりも大きく、かつ２つの収容部１１，１２の合計の長さ寸法よりも少しだけ小さい。
【００１９】
内袋２０のヒートシール部２０ｅの一箇所には、易破袋部２３が設けられている。ここでは、内袋２０の１つの短辺部の中央部が、易破袋部２３となっている。易破袋部２３は、ヒートシール部２０ｅの他の部分よりも破断又は剥離され易い。つまり、内袋２０が、易破袋部２３において破袋され易い。具体的には、易破袋部２３のヒートシール幅が、ヒートシール部２０ｅの他の部分のヒートシール幅よりも小さくなっている。
【００２０】
図１に示すように、この内袋２０が、２つの収容部１１，１２の内部に収容されている。内袋２０は、易折曲部１５を跨いで、主収容部１１から副収容部１２にわたって配置されている。前述した内袋２０と収容部１１，１２の寸法関係によって、内袋２０が易折曲部１５を確実に跨ぐようにできる。かつ、内袋２０の外容器１０内における位置を安定させることができる。なお、図１において、内袋２０の易破袋部２３は、副収容部１２内に配置されているが、主収容部１１内に配置されるようにしてもよい（図５参照）。
【００２１】
二重容器１は、例えば次のようにして使用される。
図４（ａ）に示すように、二重容器１の主収容部１１を支えながら、副収容部１２に主収容部１１の上面へ向けて回転する力Ｆを加える。すると、段差状の易折曲部１５に曲げ応力が集中する。これによって、外容器１０を易折曲部１５において容易に折り曲げることができる。更には、図４（ｂ）に示すように、外容器１０を二つ折り状態にすることができる。副収容部１２の出来るだけ先端部（主収容部１１とは反対側の端部）に力Ｆを加えることで、力Ｆが小さくても、てこの原理で外容器１０を確実に折り曲げることができる。外容器１０のボトムフィルム１３等が多少硬くても、外容器１０を容易に折り曲げることができる。
【００２２】
このとき、内袋２０も、易折曲部１５を跨ぐ箇所（被折曲部２５）で折り曲げられる。被折曲部２５は、縊れて狭隘になる。その分だけ、内袋２０の内容積が減少して内圧が高まる。この内圧上昇によって、易破袋部２３が破断又は剥離して開口される。これによって、内袋２０を簡単かつ確実に破袋することができる。たとえ外容器１０と内袋２０との間に空気等のガスが入っていたとしても、内袋２０を確実に破袋することができる。
【００２３】
そして、第２被収容物３２が、開口された易破袋部２３を通って内袋２０から流出し、主収容部１１内の第１被収容物３１と混ざる。これによって、吸熱反応を起こすことができる。
二重容器１の折り曲げ操作で被収容物３１，３２どうしを混合でき、混合方法が明確でわかり易い。二重容器１の表面や包装等には、折り曲げて使用する旨を表記しておくことで、使用者の利便に供することができる。
その後、主収容部１１の底部の凸部１１ａを対象体の被冷却部位（たとえば、人の皮膚）に当てることで、被冷却部位を冷ますことができる。二重容器１の凸部１１ａ以外の部分については、被冷却部位に接触しないようにできる。または、凸部１１ａのほうが凸部１１ａ以外の部分よりも被冷却部位に確実に密着するようにできる。これによって、被冷却部位を限定的に冷ますことができる一方、その周辺部をも無駄に冷やすのを防止又は抑制できる。この結果、無駄な放熱を防止又は抑制でき、吸熱性能を長持ちさせることができる。
【００２４】
次に、本発明の他の実施形態を説明する。以下の実施形態において既述の形態と重複する構成に関しては、図面に同一符号を付して説明を省略する。
［第２実施形態］
図５に示すように、第２実施形態の二重容器１Ｂにおいては、副収容部１２Ｂが、主収容部１１と似た器状になっている。これら器状の収容部１１，１２Ｂどうしの間に、溝状の易折曲部１５Ｂが形成されている。易折曲部１５Ｂは、外容器１０の幅方向（図５の紙面と直交する方向）の全域にわたって形成されている。溝状の易折曲部１５Ｂは、構造的に曲げ応力が集中し易く、外容器１０の他の部分よりも折り曲げ性ないしは屈曲性が高い。したがって、二重容器１Ｂは、溝状の易折曲部１５Ｂにおいて簡単に折り曲げ可能である。
【００２５】
内袋２０が易折曲部１５Ｂを跨いで主収容部１１と副収容部１２Ｂとにわたって収容されている点は、第１実施形態と同様である。
内袋２０の易破袋部２３は、主収容部１１内に配置されているが、副収容部１２Ｂ内に配置されるようにしてもよい。
凸部１１ａは、２つの収容部１１，１２Ｂのうち主収容部１１にだけ設けられている。なお、副収容部１２Ｂにも同様の凸部を設けてもよい。
被収容物３１を、主収容部１１に代えて副収容部１２Ｂに収容してもよく、被収容物３１を、主収容部１１及び副収容部１２Ｂの両方に収容してもよい。主収容部１１と副収容部１２Ｂとに互いに異なる種類の被収容物を収容してもよい。
【００２６】
本発明は、前記実施形態に限られず、その趣旨を逸脱しない範囲内で種々の改変をなすことができる。
例えば、外容器１０は、袋状であってもよい。
内袋２０の易破袋部２３は、ヒートシール部２０ｅ以外の箇所に設けられていてもよい。
被収容物３１，３２は、混合によって吸熱する冷却剤に限られず、発熱する温熱カイロ等の温熱剤であってもよい。或いは、被収容物３１，３２は、混合によって薬効や栄養補充等の効用を生じる経皮薬や経皮栄養剤等であってもよい。
【産業上の利用可能性】
【００２７】
本発明は、例えば、例えば混合によって発熱又は吸熱する複数物質を分離して収容する二重容器に適用可能である。
【符号の説明】
【００２８】
１，１Ｂ    二重容器
１０      外容器
１１      主収容部
１１ａ    凸部
１２      扁平な副収容部
１２Ｂ    器状の副収容部
１５      段差状の易折曲部
１５Ｂ    溝状の易折曲部
２０      内袋
２０ｅ    ヒートシール部
２３      易破袋部
２５      被折曲部
３１      第１被収容物
３２      第２被収容物
【図１】
2017105477.tif 000003
【図２】
2017105477.tif 000004
【図３】
2017105477.tif 000005
【図４】
2017105477.tif 000006
【図５】
2017105477.tif 000007